(57)【要約】【課題】耐久性や装飾性を維持しつつ、より軽量化した釣竿用尻栓を提供する。【解決手段】尻栓３０は、元竿杆１２の後端の外周面に配設される筒状の尻栓本体３２と、尻栓本体に脱落を防止した状態で配設するための脱落防止部５４を有し尻栓本体の後端に配設される尻部材３４とを備える。尻栓本体３２は、元竿杆の後端の外周に配設される筒状のベース部４２と、ベース部の長さの範囲内に設けられベース部の外側に延出された第１の鍔部４４と、第１の鍔部よりも後端側に配設され尻部材の脱落防止部５４が第１の鍔部との間に嵌合される第２の鍔部４６とが樹脂材で形成されている。第１の鍔部よりも先端側のベース部の外側には、尻栓本体よりも硬質材で形成されベース部の少なくとも一部を覆った表面保護部材３６が配設されている。【選択図】      図２
2009240283.tif 000002
【特許請求の範囲】
【請求項１】
元竿杆の後端の外周面に配設される筒状の尻栓本体と、
前記尻栓本体に脱落を防止した状態で配設するための脱落防止部を有し、前記尻栓本体の後端に配設される尻部材と
を具備し、
前記尻栓本体は、前記元竿杆の後端の外周に配設される筒状のベース部と、前記ベース部の長さの範囲内に設けられ前記ベース部の外側に延出された第１の鍔部と、前記第１の鍔部よりも後端側に配設され前記尻部材の脱落防止部が前記第１の鍔部との間に嵌合される第２の鍔部とが樹脂材で形成され、
前記第１の鍔部よりも先端側のベース部の外側には、前記尻栓本体よりも硬質材で形成され前記ベース部の少なくとも一部を覆った表面保護部材が配設されていることを特徴とする釣竿用尻栓。
【請求項２】
前記表面保護部材は、前記尻栓本体のうち、前記第１の鍔部およびその先端側の前記ベース部に外嵌されるリング部を備え、
前記リング部と前記ベース部および前記第１の鍔部との間には、空隙が形成されていることを特徴とする請求項１に記載の釣竿用尻栓。
【請求項３】
前記表面保護部材と、前記元竿杆の後端の外周面と、前記ベース部の先端側の面との間には、空隙が形成されていることを特徴とする請求項１もしくは請求項２に記載の釣竿用尻栓。
【発明の詳細な説明】
【技術分野】
【０００１】
この発明は、釣竿用尻栓に関する。
【背景技術】
【０００２】
例えば特許文献１に開示されているように、一般に、船釣用の釣竿の後端には、尻栓が配設されている。この尻栓は、アルミニウム、真鍮、チタン、ステンレス鋼材等の高強度の金属材製の栓体と、例えばゴムなどの弾性キャップとを有する。
【特許文献１】特開２０００−２７９０６１号公報
【発明の開示】
【発明が解決しようとする課題】
【０００３】
釣竿は長時間保持して使用されることが多いため、強度を維持しつつより軽量化が求められている。  
上述した特許文献１に開示された釣竿の尻栓の栓体は金属材製である。このため、栓体の装飾（装飾性）や強度（耐久性）については自由度が高い。しかし、尻栓の軽量化を図るのは難しい。  
この発明は、このような課題を解決するためになされたものであり、その目的とするところは、耐久性や装飾性を維持しつつ、より軽量化した釣竿用尻栓を提供することにある。
【課題を解決するための手段】
【０００４】
上記課題を解決するために、この発明に係る尻栓は、元竿杆の後端の外周面に配設される筒状の尻栓本体と、前記尻栓本体に脱落を防止した状態で配設するための脱落防止部を有し、前記尻栓本体の後端に配設される尻部材とを備えている。前記尻栓本体は、前記元竿杆の後端の外周に配設される筒状のベース部と、前記ベース部の長さの範囲内に設けられ前記ベース部の外側に延出された第１の鍔部と、前記第１の鍔部よりも後端側に配設され前記尻部材の脱落防止部が前記第１の鍔部との間に嵌合される第２の鍔部とが樹脂材で形成され、前記第１の鍔部よりも先端側のベース部の外側には、前記尻栓本体よりも硬質材で形成され前記ベース部の少なくとも一部を覆った表面保護部材が配設されている。  
また、前記表面保護部材は、前記尻栓本体のうち、前記第１の鍔部およびその先端側の前記ベース部に外嵌されるリング部を備え、前記リング部と前記ベース部および前記第１の鍔部との間には、空隙が形成されていことが好適である。  
また、前記表面保護部材と、前記元竿杆の後端の外周面と、前記ベース部の先端側の面との間には、空隙が形成されていることが好適である。
【発明の効果】
【０００５】
この発明によれば、尻栓本体を樹脂材で形成することにより、金属材で形成する場合に比べて軽量にすることができる。また、尻栓本体の外側に尻栓本体よりも高強度（例えば樹脂材や金属材）の表面保護部材を配設することによって尻栓本体の補強を行って外力に対する耐性（耐久性）を維持することができる。例えば尻栓を地面や壁等に衝突させたりしたときに表面保護部材を弾性変形させることによって樹脂材の尻栓本体を通して元竿杆に与える衝撃や元竿杆を通して釣人に与える衝撃を和らげることができる。また、魚釣時の釣竿の動作によって元竿杆が曲げられたときに、それに合わせて樹脂材の尻栓本体が弾性変形するので、尻栓本体よりも硬質の表面保護部材によって樹脂材が変形し過ぎるのを防止するとともに元竿杆の変形を抑制し、接着された元竿杆と尻栓本体との間が剥離することを防止することができる。このとき、表面保護部材に金属材を用いても尻栓本体が樹脂材で形成されているので、尻栓本体および表面保護部材の両者に金属材を用いる場合よりも軽量化を図ることができる。さらに、表面保護部材の外表面等には、種々の所望の装飾を施すことができる。したがって、本発明によれば、耐久性や装飾性を維持しつつ、より軽量化した釣竿用尻栓を提供することができる。
【発明を実施するための最良の形態】
【０００６】
以下、図１および図２を参照しながらこの発明を実施するための最良の形態について説明する。  
図１に示すように、釣竿１０は、元竿杆１２と先側節１４とをこの先側節１４に設けたジョイント部材１６で継合した２本継の船竿として形成してある。この元竿杆１２の先端部には、魚釣用リール８を固定するリールシートすなわちリール脚固定装置１８が配置され、このリール脚固定装置１８の後方に釣人が握持する後方握り部２０が配置されている。また、元竿杆１２の後端部には後述する尻栓３０および尻手金具８８が設けられ、実釣時には、この尻栓３０を釣人の腹に当てた状態で後方握り部２０および後述する前方握り部２２を握持し、この釣竿１０を操作して魚とのやり取りを行うことができる。
【０００７】
この元竿杆１２の先端部にジョイント部材１６で継合される先側節１４は、ジョイント部材１６の前方側に前方握り部２２を設けており、釣竿１０の外面に釣糸が接触するのを防止する釣糸ガイド６が、魚釣用リール８と同じ側で、釣竿１０の穂先に向けて所定間隔をおいて固定され、竿先にはトップガイド６ａが取り付けられている。このような釣糸ガイド６の個数および配置位置は、図示の例に限らず、任意に設定することが可能である。
【０００８】
図２（Ａ）および図２（Ｂ）に示すように、尻栓３０は、元竿杆１２の外周に配設される尻栓本体３２と、尻栓本体３２に尻部材３４と、尻栓本体３２の外側に固定される表面保護部材３６とを備えている。なお、元竿杆１２は、中空／中実のいずれに形成されていても良い。  
まず、図２（Ｂ）を用いて尻栓３０の各部材の構造について説明する。
【０００９】
尻栓本体３２は、例えばアクリロニトリルブタジエンスチレン（ＡＢＳ）樹脂、ナイロン、ポリオキシメチレン（ＰＯＭ）等の樹脂材により形成されている。このため、尻栓本体３２は軽量に形成されている。  
尻栓本体３２は、略円筒状のベース部（円筒状部）４２と、ベース部４２の外周面から径方向外方に延出された第１の鍔部４４と、ベース部４２の端部（後端部）に形成された第２の鍔部４６とを備えている。ベース部４２の中心から内周面までの半径ｒ１は、元竿杆１２の中心から外周面までの半径ｒ０と同じか接着剤等が塗布される分だけ僅かに大きい。
【００１０】
一方、尻栓本体３２の中心軸から径方向外方への延出量は、第１の鍔部４４の方が第２の鍔部４６よりも大きい。すなわち、第１の鍔部４４の半径ｒ２は、第２の鍔部４６の半径ｒ３よりも大きい。そして、第１の鍔部４４からベース部４２の先端までの尻栓本体３２の中心軸からベース部４２の外周面までの半径を例えばｒ４として規定し、第１の鍔部４４と第２の鍔部４６との間の尻栓本体３２の中心軸からベース部４２の外周面までの半径を例えばｒ５として規定したとき、半径ｒ５は半径ｒ４よりも大きい。  
尻栓本体３２の内周面は同じ径（半径ｒ１）を有するので、第１の鍔部４４からベース部４２の先端までに比べて、第１の鍔部４４と第２の鍔部４６との間の方が肉厚が厚く、元竿杆１２への取付時に尻栓本体３２の後端部に衝撃を受けた場合に衝撃吸収力を高めることができ、元竿杆１２を保護することができる。
【００１１】
尻部材３４は、例えばゴム、エチレン酢酸ビニル共重合体（ＥＶＡ）、コルク、エラストマー等、尻栓３０を落下させたり物体に衝突させたりした場合などに、クッション性（衝撃吸収性）を有する素材で形成されている。尻部材３４は、一部に略球面状等の曲面部５２を有し、全体的に丸みを帯びた形状に形成されている。そして、尻部材３４は、中心軸に対して対称的に形成されている。この尻部材３４には、一部が略球面状等の曲面部５２の中心軸方向に向かって脱落防止部（内方フランジ部）５４が形成されている。脱落防止部５４と曲面部５２の内周面との間には、尻栓本体３２の第２の鍔部４６が配設される空間５２ａが形成されている。
【００１２】
尻部材３４の中心軸から脱落防止部５４の内周面までの半径ｒ６は、尻栓本体３２のベース部４２のうち第１の鍔部４４と第２の鍔部４６との間の部分の半径ｒ５と同じか僅かに大きい。そして、半径ｒ６は半径ｒ３よりも小さく、脱落防止部５４の肉厚Ｔ１は、尻栓本体３２の第１の鍔部４４と第２の鍔部４６との間の距離Ｔ２と同じか僅かに小さい。このため、脱落防止部５４は、尻栓本体３２の第１の鍔部４４と第２の鍔部４６との間に尻栓本体３２から抜けることが防止された状態で配設される。そして、尻部材３４の脱落防止部５４の半径ｒ６が尻栓本体３２の上述した半径ｒ５よりも大きく、脱落防止部５４の肉厚Ｔ１が尻栓本体３２の上述した距離Ｔ２よりも小さい場合、尻栓本体３２に対して尻部材３４が回動自在である。この場合、尻部材３４を介して尻栓本体３２に回転トルクがかかり難くなるので、耐久性に優れる。
【００１３】
なお、尻部材３４の中心軸には、例えば海水等を排出するための貫通孔５２ｂが形成されている。
【００１４】
表面保護部材３６は、尻栓本体３２のうち、第１の鍔部４４よりも先端側の部分を覆って保護するものである。表面保護部材３６は、リング状に形成されたリング部６２と、パイプ状に形成されたパイプ部６４とを備えている。これらリング部６２およびパイプ部６４は、例えばカーボン繊維やガラス繊維などのファイバー束間に樹脂材が含浸されて硬化して形成されたＦＲＰ等の高強度の硬質材や、アルミニウム、チタン、真鍮、ステンレス鋼材等の金属材で形成されている。これらリング部６２およびパイプ部６４は、その内側に配設される尻栓本体３２に力が加えられたり、大きく変形して破損するのを防ぐため、尻栓本体３２よりも高強度に形成されている。リング部６２およびパイプ部６４は、できるだけ軽量な素材で形成されることが好ましく、例えばアルミニウムやチタンなどが用いられることが好ましい。また、リング部６２およびパイプ部６４は同一の素材で形成されていることが好ましいが、異なる素材で形成されていても良い。
【００１５】
リング部６２は、図２（Ｂ）に示すように、外観は略台形状に形成されている。リング部６２は、符号７２で示す内径が略一定の部分（以下、定径部と称する）と、この定径部７２に連続して形成され尻栓本体３２の第１の鍔部４４に近接するにしたがって広がる傾斜面７４とが形成されている。そして、リング部６２の外周面は、先端側から基端側に向かうにつれて拡径する滑らかな弧状部７６である。  
なお、リング部６２のうち、リング部６２の中心軸から定径部７２の半径ｒ７は、上述した半径ｒ４と同じか接着剤等が塗布される分だけ僅かに大きい。このため、図２（Ａ）に示すように、尻栓本体３２の第１の鍔部４４とリング部６２の傾斜面７４との間に第１の空隙（リング状の空間）Ｓ１が形成されている。  
リング部６２の硬さは、尻栓本体３２の硬さよりも硬く形成されている。このため、リング部６２によって尻栓本体３２が外側からの外力によって変形するのをできるだけ防止することができる。そして、空隙Ｓ１は、リング部６２と尻栓本体３２との間に略環状に形成され、パイプ部６４に外力が加えられたとき又はリング部６２に直接外力が加えられたときリング部６２が弾性変形して入り込む逃げ部として用いることができる。
【００１６】
パイプ部６４は、内径および外径が略定径の筒状部８２と、先端に向かうにつれて内径が小さくなる縮径部８４とを備えている。そして、筒状部８２には、取付金具８６を介して尻手金具（尻手ロープ取付環）８８が固定されている。なお、パイプ部６４には、本実施形態では取付金具８６および尻手金具８８を設ける例について説明したが、このような装飾の他、単なる平面に形成されていたり、模様等が形成されるなど、種々の装飾がなされることが好ましい。
【００１７】
パイプ部６４の中心軸から筒状部８２の内周面の半径ｒ８は、上述した半径ｒ４と同じか接着剤等が塗布される分だけ僅かに大きい。筒状部８２の後端と縮径部８４の後端との間の長さＬ２は、尻栓本体３２の第１の鍔部４４とベース部４２の先端との長さＬ１よりも大きい。このため、パイプ部６４の中心軸から縮径部８４の先端の内周面の半径ｒ９は、上述した半径ｒ４よりも小さくすることができるとともに、元竿杆１２の中心から外周面までの半径ｒ０と同じか接着剤等が塗布される分だけ僅かに大きい。
【００１８】
次に、図２（Ａ）を用いて尻栓３０の各部材を元竿杆１２に装着した状態の構造について説明する。  
元竿杆１２の外周面と尻栓本体３２のベース部４２の内周面とは、接着剤により固定されている。
【００１９】
そして、尻栓本体３２のベース部４２の外周面と第１の鍔部４４のうちベース部４２の先端側の面との間には、リング部６２が外嵌されて固定されている。リング部６２のうち第１の鍔部４４に近接する側には傾斜面７４が形成されている。このため、傾斜面７４と第１の鍔部４４およびベース部４２の外周面との間には第１の空隙Ｓ１が形成されている。そして、この空隙Ｓ１は、リング部６２と尻栓本体３２との間に略リング状に形成され、リング部６２に外力が加えられたときにリング部６２が弾性変形して入り込む逃げ溝として用いることができる。
【００２０】
尻栓本体３２のベース部４２の外周面であって、リング部６２の先端には、パイプ部６４が配設されている。パイプ部６４の縮径部８４は、ベース部４２の先端よりも元竿杆１２の先端側に延出され、元竿杆１２の外側に配設されている。このため、ベース部４２の先端と、筒状部８２の先端および縮径部８４の内周面と、元竿杆１２の外周面との間には、第２の空隙Ｓ２が形成されている。
【００２１】
なお、パイプ部６４の硬さは、尻栓本体３２の硬さよりも硬く形成されている。このため、例えば釣竿１０を図示しない船釣用のホルダから抜いたりする場合にそのホルダのホルダロックなどに尻栓３０の先端の縮径部８４を当接させてしまう場合があるが、そのときにパイプ部６４によって尻栓本体３２が外側からの外力によって変形するのをできるだけ防止することができる。そして、この空隙Ｓ２は、パイプ部６４と尻栓本体３２と元竿杆１２の外周面との間に略環状に形成され、パイプ部６４に外力が加えられたときにパイプ部６４が弾性変形して入り込む逃げ部として用いることができる。
【００２２】
そして、仮に、縮径部８４の先端側に外力が加えられた場合、パイプ部６４の先端が第２の空隙Ｓ２を小さくするように弾性変形するとともに、リング部６２を押圧して、第１の空隙Ｓ１を小さくするように弾性変形する。このため、パイプ部６４に外力が加えられたときのパイプ部６４の変形を第２の空隙Ｓ２で受けるとともに、パイプ部６４を通してリング部６２に外力が加えられたときのリング部６２の変形を第１の空隙Ｓ１で受けることができる。したがって、これら空隙Ｓ１，Ｓ２により尻栓本体３２に大きな力が加えられることを防止することができる。
【００２３】
さらに、尻栓３０の尻部材３４を釣人の腹に当てて竿を上下動させたり、引き上げたりする動作を行うことがあるが、樹脂材の尻栓本体３２よりも表面保護部材３６が硬質であることによって、尻栓本体３２が変形するのを抑制することができる。このため、例えば、釣竿１０の湾曲時に尻栓本体３２のベース部４２の内周面と元竿杆１２の外周面との間の接着が剥がれることを防止することができる。
【００２４】
図示しないが、元竿杆１２の外周面であって、縮径部８４の先端には、糸巻部（又は糸止め）が形成されて水密が図られている。このため、縮径部８４の先端に何らかの物体が直接衝突するのを防止することができるとともに、海水等の液体が糸巻部を通してパイプ部６４と尻栓本体３２との間に浸入することを防止することができる。
【００２５】
リング部６２およびパイプ部６４は、尻栓本体３２のうち、第１の鍔部４４よりも先端側の略全てを覆うので、尻栓本体３２にキズが付くのを防止できるとともに、尻栓３０を装着した釣竿１０を屋外に長時間にわたって放置しておいたときであっても、紫外線により尻栓本体３２が劣化するのを極力防止することができる。このため、元竿杆１２の外周面と尻栓本体３２の内周面との間の接着強度が低下するのを効果的に防止することができる。
【００２６】
そして、尻栓本体３２の第１の鍔部４４と第２の鍔部４６との間に、尻部材３４の脱落防止部５４が弾性変形により係合されている。
【００２７】
なお、図２（Ｂ）に示すように、尻部材３４の脱落防止部５４の外側の半径ｒ１０は、第１の鍔部４４の半径（尻栓本体３２の最も大きい半径）ｒ２よりも大きく、リング部６２の最も大きい半径ｒ１１は、第１の鍔部４４の半径ｒ２と同じか僅かに小さい。さらに、リング部６２の定径部７２の先端の外径の半径ｒ１２は、パイプ部６４の筒状部８２の最も基端の外径の半径ｒ１３と同じかそれよりも僅かに大きい。
【００２８】
このため、尻栓３０が他の物体に衝突等するときに、クッション性を有する尻部材３４をできるだけ衝突させ、尻栓本体３２、リング部６２およびパイプ部６４が衝突することを極力防止することができる。このため、尻栓３０を通して元竿杆１２に与える衝撃を大きく減衰させることができる。また、尻部材３４の外径を最も大きくし、尻栓３０の先端側（元竿杆１２の先端側）に向かうにつれて徐々に外径を小さくすることにより、尻栓３０を含む元竿杆１２を握り易くすることができる。
【００２９】
なお、本実施形態では尻栓本体３２を接着により元竿杆１２の外周面に固定する場合について説明したが、例えば尻栓本体３２の内周面に雌ネジを形成し元竿杆１２の外周面に雄ネジを形成して両者を螺合（ネジ嵌合）させるようにしても良い。この場合、元竿杆１２に対して尻栓本体３２を着脱可能とすることができる。また、両者を螺合させた状態で接着して固定することも好ましい。
【００３０】
また、第１の空隙Ｓ１には、接着剤が充填され、尻栓本体３２のベース部４２および第１の鍔部４４とリング部６２とが接着により固定されていても良い。この場合、第１の空隙Ｓ１の代わりに接着剤がクッションの代わりをするので、接着剤によってリング部６２の変形を緩衝することができる。したがって、尻栓本体３２に大きな力が加えられることを防止することができる。第２の空隙Ｓ２に接着剤が充填されていても同様である。
【００３１】
図２（Ｂ）に示すように、本実施形態ではリング部６２とパイプ部６４とが別部材である表面保護部材３６について説明したが、リング部６２とパイプ部６４とが一体に形成された表面保護部材３６が用いられても良い。
【００３２】
これまで、一実施形態について図面を参照しながら具体的に説明したが、この発明は、上述した実施形態に限定されるものではなく、その要旨を逸脱しない範囲で行なわれるすべての実施を含む。
【図面の簡単な説明】
【００３３】
【図１】本発明の一実施の形態に係る２本継の船竿として形成された釣竿を示す全体図。
【図２】本発明の一実施の形態に係る釣竿に用いられる尻栓を示し、（Ａ）は尻栓が釣竿の元竿杆に装着された状態を示す概略的な部分断面図、（Ｂ）は尻栓を構成部材に分離した状態を示す各部材の概略的な部分断面図。
【符号の説明】
【００３４】
３０…釣竿用尻栓、３２…尻栓本体、３４…尻部材、３６…表面保護部材、４２…ベース部、４４…第１の鍔部、４６…第２の鍔部、５２…曲面部、５２ａ…空間、５２ｂ…貫通孔、５４…脱落防止部、６２…リング部、６４…パイプ部、７２…定径部、７４…傾斜面、７６…弧状部、８２…筒状部、８４…縮径部、８６…取付金具、８８…尻手金具、Ｓ１…第１の空隙、Ｓ２…第２の空隙、Ｔ１…肉厚、Ｔ２…距離、ｒ１〜ｒ１３…半径。
【図１】
2009240283.tif 000003
【図２】
2009240283.tif 000004